(57)【要約】【課題】個々の水位表示板の設置高さを任意に変更できるようにし、可能な限り簡素な構造で柔軟な防水処理を施した電光式水位表示装置を提供する。【解決手段】電光式水位表示装置は、段階的に設定された各水位に対応するように高さを変えながら設置される複数の水位表示板１−１、１−２、１−３、１−４と、水位表示板への通電を制御する制御ボックス１０と、制御ボックスと水位表示板との間に介在する中継ボックス５とを備え、水位表示板と電気接続する電線が、中継ボックスと水位表示板とを防水接続する防水チューブ４−１、４−２、４−３、４−４によってそれぞれ独立して被覆され、防水チューブが、水位表示板と接続する端部においてＳ字もしくは逆Ｓ字の形状に湾曲していることを特徴とする。【選択図】図２
2018230023.tif 000002
【特許請求の範囲】
【請求項１】
段階的に設定された各水位に対応するように高さを変えながら設置される複数の水位表示板と、
前記水位表示板への通電を制御する制御ボックスと、
前記制御ボックスと前記水位表示板との間に介在する中継ボックスとを備え、
前記水位表示板と電気接続する電線が、前記中継ボックスと前記水位表示板とを防水接続する防水チューブによってそれぞれ独立して被覆され、前記防水チューブが、前記水位表示板と接続する端部においてＳ字もしくは逆Ｓ字の形状に湾曲していることを特徴とする、
電光式水位表示装置。
【請求項２】
前記防水チューブが素材の許容曲げ半径で湾曲していることを特徴とする、
請求項１に記載の電光式水位表示装置。
【請求項３】
前記水位表示板と防水接続された防水チューブを収納する保護カバーをさらに備え、
前記保護カバーが、隣り合う水位表示板の隙間を補間する補間側板と、前記防水チューブを被覆する覆い板からなり、
前記補間側板が、隣り合う水位表示板の間隔を規定するゲージであるとともに、前記防水チューブの水位表示板側の側面を保護するものであり、前記覆い板が、前記防水チューブの前面と水位表示板の反対側の側面を保護するものであることを特徴とする、
請求項２に記載の電光式水位表示装置。
【請求項４】
一端にプラグが取り付けられ、他端が前記制御ボックスと電気接続された防水ケーブルと、
前記中継ボックスに取り付けられ、前記プラグと電気接続が可能なレセプタクルとをさらに備え、
前記中継ボックスの内部において、前記水位表示板に通電する電線と前記レセプタクルとが電気接続されていることを特徴とする、
請求項１乃至３の何れかに記載の電光式水位表示装置。
【請求項５】
前記制御ボックスと前記中継ボックスとが防水チューブによって防水接続され、前記水位表示板に通電する電線が前記防水チューブを通って前記制御ボックスと電気接続されていることを特徴とする、
請求項１乃至３の何れかに記載の電光式水位表示装置。
【請求項６】
前記中継ボックスの内部に乾燥剤を気密に密封することを特徴とする、
請求項１乃至５の何れかに記載の電光式水位表示装置。
【請求項７】
前記中継ボックスに通気用のアクセスバルブが付属していること特徴とする、
請求項１乃至５の何れかに記載の電光式水位表示装置。
【請求項８】
前記アクセスバルブから乾燥ガスを封入し、前記中継ボックスの内部およびこれに連続する空間内の圧力を大気圧以上にすることを特徴とする、
請求項７に記載の電光式水位表示装置。
【請求項９】
前記アクセスバルブから絶縁性かつ疎水性の液体を封入し、前記中継ボックスの内部およびこれに連続する空間内に充填することを特徴とする、
請求項７に記載の電光式水位表示装置。
【請求項１０】
前記アクセスバルブから常温における飽和圧力が大気圧以上の絶縁性液化ガスを少なくとも一部は液化した状態で封入し、前記中継ボックスの内部およびこれに連続する空間内に充填することを特徴とする、
請求項７に記載の電光式水位表示装置。
【発明の詳細な説明】
【技術分野】
【０００１】
本発明は、河川のはん濫の危険度に対応した水位を示す電光式水位表示装置に関し、特に、状況変化等に応じて水位表示板の設置高さの変更が可能であり、かつ水位表示板への電気供給や信号伝達に用いる電線に柔軟な防水処理を施した電光式水位表示装置に関する。
【背景技術】
【０００２】
河川の水位は、水位の上昇に伴う危険度に応じて区分されており、危険度の高い順に、「はん濫危険水位」、「避難判断水位」、「はん濫注意水位」、「水防団待機水位」となっている。「はん濫危険水位」とは、河川がはん濫する恐れのある水位や安全に避難するために避難を開始すべき水位のことであり、「避難判断水位」とは、市町村からの避難準備情報などの避難情報が発表される目安となる水位のことであり、「はん濫注意水位」とは、河川のはん濫の発生を注意する水位のことであり、「水防団待機水位」とは、水防団が待機する目安となる水位のことである。予め指定された河川には、これらの水位に対応して水位表示板が設置されている。また近年では、夜間や悪天候時の視認性を確保するために電光式の水位表示板も使用されている。【０００３】
従来、電光式水位表示板に電気や信号を供給する電線に防水処理を施す場合には、複数の水位表示板と固定的な電線管を一体化させて全体的に防水し、外部から水が浸入しないようにしていた（特許文献１参照）。なお、河川の水位と危険度の関係は、基準の見直し等も含めて経年的に変化することがあり、水位表示板の位置を変更する必要が生じた場合には、水位表示板と電線管の全体を新しいものと交換していた。
【先行技術文献】
【特許文献】
【０００４】
【特許文献１】特開２０１０−２６７５２６号公報
【発明の概要】
【発明が解決しようとする課題】
【０００５】
複数の水位表示板と固定的な電線管を一体化した場合、一旦設置した水位表示板の位置を変更することは構造的に困難であり、水位表示板の位置を変更したい場合には全体を作り直す必要があるため、コスト高となる問題があった。個々の水位表示板の位置を自由に変更できるようにするためには、水位表示板と電線管とを分離した構造とし、電線管の適切な位置に水位表示板を取り付けられるようにすることもできる。しかし、取り付け位置を変更可能にした構造において水位表示板と電線管の接続部を防水構造にしようとすれば、構造上の複雑さを招き、コスト高となる。【０００６】
本発明は、個々の水位表示板の設置高さを任意に変更できるようにした上で可能な限り簡素な構造で柔軟な防水処理を施した電光式水位表示装置を提供することを目的とする。
【課題を解決するための手段】
【０００７】
前記の課題を解決する手段として、本発明の電光式水位表示装置は、段階的に設定された各水位に対応するように高さを変えながら設置される複数の電光式水位表示板と、前記電光式水位表示板への通電を制御する制御ボックスと、前記制御ボックスと前記電光式水位表示板との間に介在する中継ボックスとを備え、前記電光式水位表示板と電気接続する電線が、前記中継ボックスと前記電光式水位表示板とを防水接続する防水チューブによってそれぞれ独立して被覆され、前記防水チューブが、前記電光式水位表示板と接続する端部においてＳ字もしくは逆Ｓ字の形状に湾曲していることを特徴とする。なお電気接続とは、電気供給や信号伝達が可能な状態に接続されることをいう。また防水接続とは、雨水や河川水などの侵入を防止可能な状態に接続されていることをいう。【０００８】
さらに本発明の電光式水位表示装置は、前記防水チューブが素材の許容曲げ半径で湾曲していることを特徴とする。【０００９】
さらに本発明の電光式水位表示装置は、前記電光式水位表示板と防水接続された防水チューブを収納する保護カバーをさらに備え、前記保護カバーが、隣り合う電光式水位表示板の隙間を補間する補間側板と、前記防水チューブを被覆する覆い板からなり、前記補間側板が、隣り合う電光式水位表示板の間隔を規定するゲージであるとともに、前記防水チューブの電光式水位表示板側の側面を保護するものであり、前記覆い板が、前記防水チューブの前面と電光式水位表示板の反対側の側面を保護するものであることを特徴とする。【００１０】
さらに本発明の電光式水位表示装置は、一端にプラグが取り付けられ、他端が前記制御ボックスと電気接続された防水ケーブルと、前記中継ボックスに取り付けられ、前記プラグと電気接続が可能なレセプタクルとをさらに備え、前記中継ボックスの内部において、前記電光式水位表示板に通電する電線と前記レセプタクルとが電気接続されていることを特徴とする。【００１１】
もしくは本発明の電光式水位表示装置は、前記制御ボックスと前記中継ボックスとが防水チューブによって防水接続され、前記電光式水位表示板に通電する電線が前記防水チューブを通って前記制御ボックスと電気接続されていることを特徴とする。【００１２】
本発明の電光式水位表示装置は、外部から防水処理を施しても、中継ボックスの内部およびこれに連続する空間内に残った水蒸気が気温の低下により結露するおそれがある。その対策としては、前記中継ボックスの内部に乾燥剤を気密に密封することができる。【００１３】
その他の対策としては、前記中継ボックスに通気用のアクセスバルブを付属させ、前記アクセスバルブから乾燥ガスを封入し、前記中継ボックスの内部およびこれに連続する空間内の圧力を大気圧以上にすることもできる。もしくは前記アクセスバルブから絶縁性かつ疎水性の液体を封入し、前記中継ボックスの内部およびこれに連続する空間内に充填することもできる。さらには前記アクセスバルブから常温における飽和圧力が大気圧以上の絶縁性液化ガスを少なくとも一部は液化した状態で封入し、前記中継ボックスの内部およびこれに連続する空間内に充填することもできる。
【発明の効果】
【００１４】
本発明の電光式水位表示装置によれば、可撓性のある防水チューブと水位表示板を防水接続し、防水チューブに電線を通すという比較的簡素な構成を採用し、防水チューブは水位表示板との接続端部において所定の形状に湾曲した形状となっているため、防水性を確保しながら、水位表示板の変異に伴って湾曲部が適宜変形することにより、柔軟性のある防水構造を実現することができる。
【図面の簡単な説明】
【００１５】
【図１】水位表示板の構成を示す正面図である。
【図２】電光式水位表示装置の構成を示す正面図である。
【図３】防水チューブの湾曲部を示す正面図である。
【図４】水位表示板の隙間に補間側板を装着した状態を示す正面図である。
【図５】図４の状態においてさらに覆い板を装着した状態を示す正面図である。
【図６】補間側板と覆い板の部分拡大図である。
【図７】中継ボックスにおける電線処理の一例を示す部分拡大図である。
【図８】中継ボックスにおける電線処理の他の例を示す部分拡大図である。
【図９】防水チューブの湾曲部の寸法の一例を示す部分拡大図である。
【図１０】水位表示板内に通じる空間の結露を防止する第１の実施例を示す模式図である。
【図１１】水位表示板内に通じる空間の結露を防止する第２の実施例を示す模式図である。
【図１２】水位表示板内に通じる空間の結露を防止する第３の実施例を示す模式図である。
【図１３】水位表示板内に通じる空間の結露を防止する第４の実施例を示す模式図である。
【発明を実施するための形態】
【００１６】
以下、本発明の実施の形態について図１乃至図８を参照して説明する。
【００１７】
図１は、水位表示板の組み立て状態を示している。水位表示板１は、フレーム１ａで電光板１ｂを包み込み、周囲を防水シールしてある。電光板１ｂは、例えばＥＬ照明板を強化ガラスで挟み込む等の方法で形成されている。フレーム１ａの周囲には壁面に取り付けるための鍔が付いており、その数カ所には固定用のボルトが通る穴が設けてある（図示せず）。フレーム１ａの側面からは、電光板１ｂに電気あるいは信号を供給するための電線３が引き出されている。初期状態では電線３の引き出し部は防水処理を施されていないため、以下の方法により防水処理を施す。まず、気密の管継手２に電線３を通し、管継手２を電線３の根元まで移動させ、フレーム１ａにシール状態でねじ込む。次に、可撓性の防水チューブ４に電線３を通し、防水チューブ４を管継手２にシール状態で接続する。これにより電線３は防水チューブ４の先端から出た状態になる。管継手３には、ユニオンねじにチューブを通したナットを締め込む方式の管継手やチューブを差し込むだけでシール装着できるワンタッチコネクタなどが使用できる。以上の工程を経て、防水処理を施した水位表示板１が完成する。
【００１８】
図２は、４個の水位表示板を縦に並べて設置する例を示している。最下部の水位表示板１−１は、後述する中継ボックスに対して位置が固定される水位表示板であり、その上方に位置する水位表示板１−２、１−３、１−４は、中継ボックスとの相対的な位置が変更可能な可変の水位表示板とする。ここでは水位表示板１−２、１−３、１−４を可変範囲の下限まで下げた状態を示している。水位表示板１−１、１−２、１−３、１−４の側面には、それぞれ管継手２−１、２−２、２−３、２−４と防水チューブ４−１、４−２、４−３、４−４が予め取り付けられている。各防水チューブ４は気密の管継手６によって中継ボックス５に接続される。水位表示板１の上方には、水位表示板の電源および信号源となる制御ボックス１０が設置されている。中継ボックス５および制御ボックス１０にはそれぞれレセプタクル９が取り付けられている。２つのレセプタクル９の間は両端にプラグ８を取り付けた多芯電線の防水ケーブル７で連結される。
【００１９】
水位表示板１−１の側面に接続された防水チューブ４−１は、略直角に湾曲させながらＪ字型を描くように上方に引き上げられている。水位表示板１−２、１−３、１−４の側面に接続された防水チューブ４−２、４−３、４−４は、下向きに湾曲させ、そのまま上向きに湾曲させながらＳ字型（もしくは逆Ｓ字型）を描くように上方に引き上げられている。防水チューブ４−１、４−２、４−３、４−４の引き上げ部は、直線状に密集させた状態に束ねられている。
【００２０】
図３は、図２の状態における最上部の水位表示板の部分拡大図である。水位表示板１−４の側面に接続された防水チューブ４−４は、一旦半径Ｒの円弧を描いて下向きに湾曲し、続いて逆向きに半径Ｒの円弧を描いて湾曲している。このときチューブの湾曲部外側面は水位表示板１−４の側面の延長面に接する状態になっている。その後同じ半径Ｒで湾曲が続いた後防水チューブ４−４は上に引き上げられている。引き上げ部では防水チューブ４−４と密着する状態で防水チューブ４−３、４−２、４−１が順に並んでいる。この状態では水位表示板１−４の側面から防水チューブ４−１の端の面までの幅Ｗは湾曲の円弧半径Ｒの２倍にチューブ外形Ｄの５倍を加えた長さになる。図６に示す取り付け壁面と水位表示板１、補間側板１１および覆い板１２により囲まれた空間の必要幅Ｗはこのようにして決まる。可撓性のチューブは製品としての許容最小曲げ半径が決められているため、円弧半径Ｒをこの最小曲げ半径にしたときの必要幅Ｗはそのチューブを使用した場合の最小値となる。
【００２１】
図４は、電光式水位表示装置の組み立て途中段階を示している。河川の水位に応じてはん濫の危険度を知らせる電光式水位表示装置ではそれぞれの河川の状況に応じて水位表示板１の間隔を変えなければならない。設置現場で組み立て時に寸法を計って指定の間隔に合わせることも可能であるが、人為的な作業が増えるほど間違いが起きやすい。一方で水位表示板１の間隔を空けると隙間に流れ込む水流によって防水チューブ４が荷重を受け、損傷を受けたり、異物が入り込んだりするおそれがある。これを防止するためには水位表示板１の隙間部分にある防水チューブ４の側面もカバーする必要がある。この防水チューブ４の側面空間のカバーと各水位表示板１の間隔を決めるゲージとを兼ねる部品として、補間側板１１（１１−１、１１−２、１１−３、１１−４）が設けられている。補間側板１１は図６に示すように板の折り曲げにより形成され、壁面に取り付けるベース板１１ａ、水位表示板１の側面と同じ面を覆う側面板１１ｂおよび覆い板１２を取り付ける正面板１１ｃからなっている。
【００２２】
補間側板１１−１、１１−２、１１−３は、水位表示板１−１、１−２、１−３、１−４の所定の間隔に対応しており、最下部の水位表示板１−１を基準にその他の水位表示板１−２、１−３、１−４と補間側板１１−１、１１−２、１１−３を交互に設置することにより、自ずと水位表示板１−１、１−２、１−３、１−４の間隔は所定の位置に定まる。最上部の補間側板１１−４は防水チューブの上部保護板になる。水位表示板１−２、１−３、１−４の位置に応じて防水チューブ４−２、４−３、４−４は上方に引き上げられる。これらの防水チューブ４−２、４−３、４−４は接続端部が逆Ｓ字型に湾曲しているため、水位表示板１−２、１−３、１−４の位置を変更するときには逆Ｓ字の形状が縦に伸びた状態に変形し、湾曲部の半径Ｒは大きくる。したがって、予め水位表示板１−２、１−３、１−４を最下部に置いた状態で湾曲部の半径Ｒを製品の許容最小曲げ半径に設定しておけば、変位させたときにそれより小さくなる部分は発生しない。
【００２３】
図５は、表示板の組み立て完了状態を示している。防水チューブ４−１、４−２、４−３、４−４をまとめて収納する覆い板１２をかぶせて水位表示板が完成する。覆い板１２は、図６に示すように板の折り曲げにより形成され、壁面に取り付けるベース板１２ａ、防水チューブ４−１、４−２、４−３、４−４に対して水位表示板１と反対側の側面を覆う側面板１２ｂおよび正面を覆い、補間側板１１に取り付ける正面板１２ｃからなっている。取り付け壁面と水位表示板１、補間側板１１および覆い板１２により囲まれた縦長の長方形空間が形成され、この空間が外部から防水チューブ４を保護し、異物を侵入させない閉空間になる。
【００２４】
図７は、中継ボックス内における電線の処理方法を示している。中継ボックス５は蓋を開けた状態を示している。中継ボックス５の下面には気密の管継手６が取り付けられ、防水チューブ４が接続されている。防水チューブ４から出た電線３は中継ボックス５の中に引き込まれる。中継ボックス５の上面には防水のレセプタクル９が取り付けられ、防水ケーブル７に取り付けられたプラグ８が接続されている。レセプタクル９の内部端子には電線３に対応するリード線１３が接続されている。リード線１３と電線３はコネクタ１４によって連結されている。
【００２５】
図８は、電線の他の処理方法を示している。中継ボックス５の下面には気密の管継手６が取り付けられており、これに防水チューブ４が接続されている。防水チューブ４から出た電線３は中継ボックス５の中に引き込まれる。中継ボックス５の上面には気密の管継手１６が取り付けられており、やや太い防水チューブ１５が接続されている。引き込まれたすべての水位表示板の電線３をまとめて防水チューブ１５の中に通し、さらに防水チューブの上部が接続されている制御ボックス１０の中まで引き込む。
【００２６】
図７に示す処理方法は、電線３は中継ボックス５の中まで延ばせばよいため、水位表示板１と繋がる電線の長さを短くすることでき、防水チューブ４に電線を通す作業や電線の取り回し作業が簡単になるが、一方で電線の接続箇所が増えるため、接触不良などが起こりやすくなる。図８に示す処理方法は、異種の電線も使わず、電線の中間接続もないので、部品点数を少なくでき、接触不良など電気的なリスクは減少するが、作業性は悪くなる。電光式水位表示装置の設置場所や要求される性能等に応じて適宜選択してよい。
【実施例】
【００２７】
本発明の実施例について図９乃至図１３を参照して説明する。【００２８】
図９は、実際の防水チューブの取り回し寸法のひとつの実施例を示している。ここでは防水チューブとして外径６ｍｍ、許容最小曲げ半径が２０ｍｍの製品を想定している。水位表示板１−４は最下限まで下げられた状態を示している。水位表示板１−４の側面に取り付けられた管継手２−４に接続された防水チューブ４−４は、一旦半径２０ｍｍの円弧を描いて下向きに湾曲し、続いて上向きに半径２０ｍｍの円弧を描いて湾曲している。このとき防水チューブの湾曲部外側面は水位表示板１−４の側面の延長面に接する状態になっている。防水チューブが直線状に上向する引き上げ部では、防水チューブ４−４と密着する状態で他の防水チューブ４−３、４−２、４−１が順に並んでいる。この状態では水位表示板１−４の側面から防水チューブ４−１の端の面までの幅は湾曲の円弧半径２０ｍｍの２倍にチューブの外形６ｍｍの５倍を加えた７０ｍｍになる。この幅が、図６に示す取り付け壁面と水位表示板１、補間側板１１および覆い板１２により囲まれた空間の必要幅の最小値となる。【００２９】
防水処理を施した水位表示板１の内部に残留した水蒸気が、気温が低下した場合に結露して電子回路に悪影響をもたらすことがある。以下はこれを防止するいくつかの実施例について述べる。【００３０】
図１０は、水位表示板内に通じる空間の結露を防止する第１の実施例を示している。中継ボックス５内にシリカゲルパックなどの乾燥剤１７を封入した後、気密性のある蓋で中継ボックスを密封する。中継ボックス５内に通じる防水チューブ３内や水位表示板１内に残留した水蒸気は、乾燥剤に吸収され、これらの空間内部の湿度が低下するので、気温が低下しても結露を生じにくくなる。【００３１】
図１１は、水位表示板内に通じる空間の結露を防止する第２の実施例を示している。中継ボックス５には、押し爪付きのチャージホースを接続すると内部と連通して真空引きやガスあるいは液の封入を可能にするアクセスバルブ１８が付属している。まずアクセスバルブ１８に真空ポンプと繋がれたチャージホースを繋いで内部の真空引きを行う。その後、例えば窒素ボンベにチャージホースを繋いで中継ボックス５内に窒素ガス１９を充填する。このとき充填圧力は大気圧以上になるようにする。こうすれば中継ボックス５内を含む防水チューブ３内や水位表示板１内の空間も乾燥した窒素ガス１９で充満するので、結露は発生せず、圧力が大気圧以上なので外から空気が浸入することもない。充填する気体は乾燥気体であれば窒素ガスでなくても構わない。例えば乾燥空気でもよく、二酸化炭素でもよい。【００３２】
図１２は、水位表示板内に通じる空間の結露を防止する第３の実施例を示している。中継ボックス５にはアクセスバルブ１８が付属している。まずアクセスバルブ１６から真空ポンプにチャージホースを繋いで内部の真空引きを行う。その後、例えば油タンクにチャージホースを繋いで中継ボックス５内に油２０を充填する。こうすれば中継ボックス５内を含む防水チューブ３内や水位表示板１内の空間も油２０で充満し、油は絶縁性と疎水性を兼ね備えているので、電子回路に悪影響を与えることはなく、疎水性なので上部にわずかの水分が混入したとしても水位表示板１まで到達する可能性は少ない。充填する液体は油でなくても絶縁性と疎水性を兼ね備えている液体であればよい。【００３３】
図１３は、水位表示板内に通じる空間の結露を防止する第４の実施例を示している。中継ボックス５にはアクセスバルブ１８が付属している。まずアクセスバルブ１６から真空ポンプにチャージホースを繋いで内部の真空引きを行う。その後、例えばハイドロフルオロカーボンのボンベにチャージホースを繋いで中継ボックス５内にハイドロフルオロカーボン液２１ａを充填する。ハイドロフルオロカーボンは常温では飽和圧力が大気圧以上で絶縁性の液化ガスがほとんどである。ハイドロフルオロカーボン液２１ａはあまり多く充填する必要はない。こうすれば中継ボックス５内を含む防水チューブ３内や水位表示板１内の空間も一部はハイドロフルオロカーボン液２１ａで充満し、残りはハイドロフルオロカーボンガス２１ｂで充満するので、結露は発生せず、圧力が大気圧以上なので外から空気が浸入することもない。もしガス空間のどこかにごくわずかな漏れが生じたとしても、漏れたガスの分は液が気化して補うので、長期間大気圧以上を保つことができる。したがって長期間結露を防止することができる。常温における飽和圧力が大気圧以上であってそれほど高圧ではなく、オゾン破壊係数が０であって地球温暖化係数も低いハイドロフルオロカーボンとして、例えばＨＦＣ２４５ｆａがある。液化ガスはそれ以外でも、常温における飽和圧力が大気圧以上でそれほど高圧でない絶縁性で無害の液化ガスであればよい。
【符号の説明】
【００３４】
１  水位表示板
１ａ  フレーム
１ｂ  電光板
２  管継手
３  電線
４  防水チューブ
５  中継ボックス
６  管継手
７  防水ケーブル
８  プラグ
９  レセプタクル
１０  制御ボックス
１１  補間側板
１２  覆い板
１３  リード線
１４  コネクタ
１５  防水チューブ
１６  管継手
１７  乾燥剤
１８  アクセスバルブ
１９  窒素ガス
２０  油
２１ａ  ハイドロフルオロカーボン液
２１ｂ  ハイドロフルオロカーボンガス
【図１】
2018230023.tif 000003
【図２】
2018230023.tif 000004
【図３】
2018230023.tif 000005
【図４】
2018230023.tif 000006
【図５】
2018230023.tif 000007
【図６】
2018230023.tif 000008
【図７】
2018230023.tif 000009
【図８】
2018230023.tif 000010
【図９】
2018230023.tif 000011
【図１０】
2018230023.tif 000012
【図１１】
2018230023.tif 000013
【図１２】
2018230023.tif 000014
【図１３】
2018230023.tif 000015
【国際調査報告】
2018230023.tif 000016
2018230023.tif 000017
2018230023.tif 000018
2018230023.tif 000019